(57)【要約】【課題】  セキュリティ用の無線キー機能と、ヘッドセット機能を一体化して、同一デバイスで、ヘッドセットとセキュリティ機能の両方を同時に実現することを目的とする。【解決手段】  所定の無線通信方式で無線通信が可能なヘッドセット装置であって、所定の無線通信方式として、少なくとも、通信する相手の装置との間でデータ転送可能とする第１の通信モードと、無線接続された状態のままで、第１の通信モードでの通信よりも少ない周期で相手の装置との間で無線通信を行う第２の通信モードとを有し、所定の無線通信方式で無線通信を行う通信手段と、ヘッドセット内の通信手段での通信状態として、通信相手装置との通信モードが、第１の通信モードのとき、ヘッドセットとして機能し、第２の通信モードのとき、セキュリティ用無線キーとして機能させる制御手段を設ける。【選択図】        図２３
2006020259.tif 000002
【特許請求の範囲】
【請求項１】
所定の無線通信方式で無線通信が可能なヘッドセット装置であって、
前記所定の無線通信方式として、少なくとも、通信する相手の装置との間でデータ転送可能とする第１の通信モードと、無線接続された状態のままで、前記第１の通信モードでの通信よりも少ない周期で相手の装置との間で無線通信を行う第２の通信モードとを有し、
前記所定の無線通信方式で無線通信を行う通信手段と、
前記ヘッドセット内の通信手段での通信状態として、前記通信相手装置との通信モードが、第１の通信モードのとき、ヘッドセットとして機能し、前記第２の通信モードのとき、セキュリティ用無線キーとして機能させる制御手段
を有することを特徴とするヘッドセット装置。
【請求項２】
前記制御手段は、前記ヘッドセットとして機能するときは、無線通信の送信電力を大きく設定し、
前記無線キーとして機能するときは、無線通信の送信電力を小さく設定する
ことを特徴とする請求項１記載のヘッドヘッド装置。
【請求項３】
所定の無線通信方式で無線通信が可能な通信端末装置であって、
前記所定の無線通信方式として、少なくとも、通信する相手の装置との間でデータ転送可能とする第１の通信モードと、無線接続された状態のままで、前記第１の通信モードでの通信よりも少ない周期で相手の装置との間で無線通信を行う第２の通信モードとを有し、
前記所定の無線通信方式で無線通信を行う通信手段と、
前記通信端末内の通信手段での通信状態として、前記通信相手装置との通信モードが、第１の通信モードのとき、前記通信相手装置とデータ通信し、前記第２の通信モードのとき、セキュリティ用無線キーとして機能させる制御手段
を有することを特徴とする通信端末装置。
【請求項４】
前記制御手段は、前記通信相手端末と通信するときは、無線通信の送信電力を大きく設定し、
前記無線キーとして機能するときは、無線通信の送信電力を小さく設定する
ことを特徴とする請求項３記載の通信端末装置。
【請求項５】
ヘッドセット装置と、そのヘッドセット装置と所定の無線通信方式で無線通信が可能な通信端末装置から構成され通信システムであって、
前記所定の無線通信方式として、少なくとも、通信する相手の装置との間でデータ転送可能とする第１の通信モードと、無線接続された状態のままで、前記第１の通信モードでの通信よりも少ない周期で相手の装置との間で無線通信を行う第２の通信モードとを有し、
前記ヘッドセット装置は、
前記所定の無線通信方式で無線通信を行う通信手段と、
前記ヘッドセット内の通信手段での通信状態として、前記通信相手装置との通信モードが、第１の通信モードのとき、ヘッドセットとして機能し、前記第２の通信モードのとき、セキュリティ用無線キーとして機能させる制御手段を備え、
前記通信端末装置は、
前記所定の無線通信方式で無線通信を行う通信手段と、
前記通信端末内の通信手段での通信状態として、前記通信相手装置との通信モードが、第１の通信モードのとき、前記通信相手装置とデータ通信し、前記第２の通信モードのとき、セキュリティ用無線キーとして機能させる制御手段を備えた
こと特徴とする通信システム。
【発明の詳細な説明】
【技術分野】
【０００１】  本発明は、例えば、携帯電話端末の如き通信端末装置と、その通信端末装置と無線通信を行うヘッドセット装置、これらの装置から構成される通信システムに関する。
【背景技術】
【０００２】  近年、利用者が常時所持して携帯する通信端末装置の１つである携帯電話端末は、本来の機能である無線電話機能以外に、各種機能が内蔵されて多機能化される傾向にある。【０００３】  例えば、静止画や動画の撮影を行うカメラ機能、音楽データの録音・再生機能、テレビジョン放送の視聴機能などが、内蔵されたものがある。【０００４】  また、近年急速に普及している非接触型のＩＣカードとしての機能を内蔵した携帯電話端末も開発されている。この非接触型のＩＣカードは、交通機関の乗車券、会員証や社員証、店での代金決済手段用のカード等として利用され、近接したリーダ・ライタとの間で無線通信を行って、認証処理を行うので、磁気カードなどに比べて使い勝手がよい。なお、携帯端末にＩＣカード機能部を組み込む場合には、ＩＣカード機能部が必ずしもカード型の形状をしているとは限らない。【０００５】  ところで、このように多機能化された携帯電話端末は、その端末を紛失した際に、端末が備える各種機能を悪用されるのを防止するために、何らかのセキュリティを確保する処理を行うことが好ましい。特に、ＩＣカード機能部が内蔵された端末の場合には、ＩＣカード機能として記憶した個人情報が不正に読み出されたり、或いはＩＣカード機能を利用した不正な決済などが行われる可能性があるため、不正使用を防止する機能の必要性が高い。例えば特許文献１、２には、携帯電話端末と対になる無線カードを用意して、その無線カードから定期的に認証要求を無線送信して、その認証要求に対する照合がとれない場合に、携帯電話端末の機能を制限することについての記載がある。
【特許文献１】特開２００１−３５２５７９号公報
【特許文献２】特開２００１−３５８８２７号公報
【発明の開示】
【発明が解決しようとする課題】
【０００６】  しかしながら、特許文献１及び２に記載のものは、携帯通信端末のセキュリティシステムを利用するための専用の無線カードを用意する必要がある。例えば、携帯電話端末と近距離無線通を行うヘッドセットを使用することにより、ハンズフリーで快適に会話を楽しむことができるが、これにセキュリティ用の無線キーを加えた場合、頭部にヘッドセットを装着するとともにネックストラップを用い首に無線カードをぶら下げるなど、管理対象のデバイスが増え、ユーザにとって管理が煩わしいものとなる。このように、携帯通信端末用のセキュリティシステムのために専用の無線キー装置を用いるのではなく、例えば現在使用されているデバイスに組み込み、無線キー機能を含む複数機能を同時に、同一デバイスで実現できることが望ましい。【０００７】  斯かる点に鑑み、本発明は、セキュリティ用の無線キー装置と、ヘッドセット機能を一体化して、同一デバイスで、ヘッドセットとセキュリティ機能の両方を同時に実現することを目的とする。
【課題を解決するための手段】
【０００８】  上記課題を解決し、目的を達成するため、本発明は、ヘッドセット装置と、そのヘッドセット装置と所定の無線通信方式で無線通信が可能な通信端末装置から構成されたシステムであって、
前記所定の無線通信方式として、少なくとも、通信する相手の装置との間でデータ転送可能とする第１の通信モードと、無線接続された状態のままで、前記第１の通信モードでの通信よりも少ない周期で相手の装置との間で無線通信を行う第２の通信モードとを有し、
前記ヘッドセット装置は、前記所定の無線通信方式で無線通信を行う通信手段と、
前記ヘッドセット内の通信手段での通信状態として、前記通信相手装置との通信モードが、第１の通信モードのとき、ヘッドセットとして機能し、前記第２の通信モードのとき、セキュリティ用無線キーとして機能させる制御手段を備え、
前記通信端末装置は、前記所定の無線通信方式で無線通信を行う通信手段と、
前記通信端末内の通信手段での通信状態として、前記通信相手装置との通信モードが、第１の通信モードのとき、前記通信相手装置とデータ通信し、前記第２の通信モードのとき、セキュリティ用無線キーとして機能させる制御手段を備えたこと特徴とする。【０００９】  斯かる本発明によれば、近距離無線通信を利用し、無線デバイス間の距離を推定する機能と、Ｂｌｕｅｔｏｏｔｈ方式が持つヘッドセット機能を一つのデバイスで同時に提供する。この無線キー機能とヘッドセット機能を一体化するにあたり、距離推定（セキュリティ）として動作中と、ヘッドセット機能動作中とで、無線通信の送信電力を変更する。例えば、電力制御は、ヘッドセット通話中は通信を維持するために高出力送信を行い、距離推定時には推定した距離に応じた電力設定とする。
【発明の効果】
【００１０】  本発明によれば、セキュリティ用の無線デバイスと、無線ヘッドセット機能を一体化することができる。ユーザは、一つのデバイスを持ち歩くだけでよく、複数の機能を一つのデバイスに実装可能なため、安価にシステムを供給することができる。
【発明を実施するための最良の形態】
【００１１】  以下、本発明の一実施の形態を、図１〜図１９を参照して説明する。
本例においては、携帯電話端末装置と無線通信を行う無線キー装置を用意して、携帯電話端末装置のセキュリティロックを、両者の無線通信状態で行うように行うようにしたものである。【００１２】  図１は、本例の装置の例を示した図である。携帯電話端末装置１０とは別体の無線キー装置５０を用意する。この例では、無線キー装置５０は携帯電話端末装置１０よりも小型に構成してあり、例えばネックストラップ５０ａで利用者の首に下げるなど、利用者が常時身につけられる小型形状としてある。無線キー装置５０には、発光部５５と操作部５９（図１では押しボタン形状としてある）が配置してあり、また携帯電話端末装置１０と接続させるための端子部５６が用意してある。【００１３】  携帯電話端末装置１０としては、ここでは一般的な携帯電話端末の形状の例を示してあり、無線電話通信用のアンテナ１１、スピーカ１４、マイクロフォン１５、表示部１６、操作部（操作キー）１７、発光部２２などが配置してある。また、無線キー装置５０と接続させるための端子部２３が用意してある。この端子部２３は、携帯電話端末装置１０が充電器や各種外部機器と接続するために用意された既存の端子を使用してもよい。また、表示部１６での表示として、例えば以下に説明するセキュリティが確保された状態で作動中であることを示すセキュリティ表示１６ａや、そのセキュリティ機能で動作が制限されたセキュリティロックがかかったことを示す表示（図示せず）を行うようにしてもよい。【００１４】  次に、本例の携帯電話端末装置１０の構成例を、図２を参照して説明する。本例の携帯電話端末装置１０は、無線電話用の基地局と無線通信を行うための無線電話通信用アンテナ１１を備え、そのアンテナ１１が無線電話通信用の通信回路１２に接続してあり、制御部１９の制御で、基地局との間で無線通信を行うようにしてある。通信回路１２で通話用の通信を行う際には、受信した音声データを音声データ処理部１３に供給して音声データの受信処理を行ってからスピーカ１４に供給して出力させ、また、マイクロフォン１５が拾って音声データ処理部１３で処理された送信用の音声データを通信回路１２に供給して送信させる。【００１５】  この携帯電話端末装置１０は、液晶ディスプレイなどで構成された表示部１６と、操作キーなどで構成された操作部１７を備える。表示部１６には、メール文、ウェブにアクセスさせた画面などを表示させることができ、操作部１７は、電話番号やメール文などの入力操作や、各種モード設定などが行える。【００１６】  これらの端末装置１０内の各ブロックは、制御ライン２５を介して制御部１９などと接続してあり、またデータライン２６を介してデータ転送を行える構成としてあり、メモリ１８に必要なデータを記憶させるようにしてある。このメモリ１８には、携帯電話端末として必要なデータだけでなく、後述するＩＣカード機能部４０で必要なデータについても記憶させてもよい。また、セキュリティ機能を実現するプログラムや、そのセキュリティ機能を実行する上で必要なデータの保持を、このメモリ１８で行う。【００１７】  また、この端末装置１０への電話回線を介した着信や、各種警告を行うために、端末そのものを振動させる振動モータなどで構成される振動部２１と、発光ダイオードなどで構成される発光部２２とを備え、制御部１９の制御で、振動や発光を行う。これらの振動部２１や発光部２２は、携帯電話端末として着信などを知らせる告知手段として使用されるが、セキュリティ機能で必要な警告手段としても使用するようにしてある。なお、セキュリティ機能で必要な警告手段として、音を鳴らす場合には、スピーカ１４などから警告音を出力させてもよい。【００１８】  そして本例の携帯電話端末１０は、電話通信用の通信回路１２とは別に、近距離無線通信用の通信回路３２を備え、接続されたアンテナ３１を介して、例えば数ｍから最大でも百ｍ程度の比較的狭い範囲内の相手と無線通信を行う（但し後述する無線キー装置と通常時に通信を行う際には通信可能範囲を狭くする処理をしてある）。ここでは、例えばＢｌｕｅｔｏｏｔｈ（商標）と称される近距離用の無線通信方式を適用してある。この近距離無線通信では、例えばハンズフリー通話用のヘッドセットと通信を行ったり、或いは、パーソナルコンピュータ装置と通信を行って、コンピュータ装置からのデータ通信を、携帯電話端末装置１０を介して行ったり、様々な用途が想定されている。無線通信に使用される周波数帯域としては、例えば２ＧＨｚ帯が使用されて、通信回路１２での無線電話通信とは干渉しない周波数帯又は変調方式としてあり、通信回路１２での無線電話通信と、近距離無線通信用の通信回路３２での通信とを同時に行うことができるようにしてある。【００１９】  本例の場合には、この近距離通信用の通信回路３２を使って、無線キー装置５０と無線通信を行う。但し、同じ通信方式の通信機器であれば、無線キー装置５０以外の装置（ヘッドセット、パーソナルコンピュータ装置等）とも無線通信が可能である。また、セキュリティ機能を実行する場合には、通信回路３２で無線通信を行う無線キー装置５０が、特定の１台の装置に限定され、その装置の識別ＩＤなどが予めメモリ１８などに登録されている。この無線キー装置５０についての登録情報については、利用者は修正できないようにしてもよい。【００２０】  通信回路３２内で送信信号を増幅する送信アンプ３３は、制御部１９などの制御で送信電力が複数段階に設定されるようにしてあり、無線キー装置５０と無線接続された状態では、その複数段階の中の低い送信電力を設定するようにしてある。無線キー装置５０以外の機器と接続された状態では、比較的高い段階の送信電力を設定するようにしてある。なお、後述するヘッドセットのように、無線キー装置としての機能が組み込まれた機器と無線接続された場合には、そのときの相手の機器の動作状態（即ち無線キー装置としてだけ作動しているのか、或いは組合された別の機能が作動しているのか否か）によって、送信電力が設定される。送信電力を設定する具体的な処理例については後述する。【００２１】  また本例の携帯電話端末３０は、非接触ＩＣカード機能部４０を備える。この非接触ＩＣカード機能部４０は、アンテナ４２が接続された課金データ制御部４１を有し、リーダ・ライタとの間で、数ｃｍ程度の非常に近接した距離での近接無線通信を行う。この近接無線通信を行う際には、リーダ・ライタ側からの���波を受信して得られる電力で、課金データ制御部４１を作動させることも可能であるが、本例においては携帯電話端末１０内の電源回路２４から供給される電源で、課金データ制御部４１を作動させるようにしてある。【００２２】  課金データ制御部４１は、ＩＣカード機能を実行する際に、課金や認証に必要なデータをメモリ１８（又は課金データ制御部４１内の図示しないメモリ）から読み出して、リーダ・ライタと近接無線通信でやり取りを行う。例えば、交通機関の乗車券として機能させる場合には、乗車券（定期券）として有効な区間、有効期間、或いは乗車券として引き落とすことが可能なチャージ金額などのデータや、この端末（ＩＣカード）の所持者に関する個人情報などを、課金データ制御部４１がリーダ・ライタに送って、課金処理や認証処理を行うようにしてある。社員証、会員証、代金決済用のカード、クレジットカードなどとして使用する場合には、それらの認証に必要な情報についても、やり取りされる。【００２３】  さらに本例の携帯電話端末装置１０は、端子部２３を備え、図示しない各種周辺機器やデータ処理装置などを、この端子２３を使用して直接接続できる構成としてある。この場合、携帯電話端末装置１０内の各部に電源を供給する二次電池などが内蔵された電源回路２４から、端子部２３で接続された外部の機器にも電源を供給できる構成としてある。例えば、図１に破線の矢印Ｊで示すように、無線キー装置５０の端子部５６を、この携帯電話端末装置１０の端子部２３に直接接続させた場合に、携帯電話端末装置１０内の電源回路２４から、無線キー装置５０内の二次電池に充電電流を供給して、充電させることができるようにしてある。また、携帯電話端末装置１０の端子部２３に無線キー装置５０が直接接続された場合には、携帯電話端末装置１０の制御部１９がそのことを検出して、直接接続時のセキュリティ処理（例えば後述する近距離無線通信をしないで実行されるセキュリティ処理）を行うようにしてある。【００２４】  次に、本例の携帯電話端末装置１０と無線通信を行う、無線キー装置５０の構成について、図３を参照して説明する。本例の無線キー装置５０は、近距離無線通信用の通信回路５２を備え、接続されたアンテナ５１を介して、例えば数ｍから最大でも百ｍ程度の比較的狭い範囲内の相手と無線通信を行う（但し携帯電話端末装置１０と通常時に通信を行う際には通信可能範囲を狭くする処理をしてある）。ここでは、携帯電話端末装置１０側が備えている近距離無線通信方式であるＢｌｕｅｔｏｏｔｈ方式を、無線キー装置５０も適用してある。通信回路５２で無線通信を行う相手は、登録された特定の１台の携帯電話端末装置１０に限定され、その装置の識別ＩＤなどが予め登録されている。この携帯電話端末装置１０についての登録情報については、利用者は修正できないようにしてもよい。【００２５】  通信回路５２での無線通信については、制御部５３の制御で実行される。この場合、通信回路５２内で送信信号を増幅する送信アンプ５２ａは、制御部５３などの制御で送信電力が複数段階に設定されるようにしてあり、携帯電話端末装置１０と無線接続された状態では、複数段階の中の低い送信電力を設定するようにしてある。��し、無線キー装置５０に配置された操作部５９（図１に示したボタン形状の操作部など）が操作されたことを制御部５３が検出した場合には、一時的に送信アンプ５２ａで送信電力を高くする処理を行うようにしてある。【００２６】  本例の無線キー装置５０は、警告音を出力させるスピーカ５４ａが接続された警告音生成部５４と、発光ダイオードなどで構成される発光部５５とを備え、制御部５３の制御で、警告音の出力や振動や発光を行う。これらの警告音生成部５４や発光部５５は、セキュリティ機能で必要な警告手段として使用する。また、発光部５５は、携帯電話端末装置１０と無線通信を行ってセキュリティ機能を作動させている状態で、現在のセキュリティモードを表示させる表示手段としても機能するようにしてある。具体的には、例えば、発光部５５が緑色で点滅しているとき、通常モードであることを表示し、赤色で点滅しているとき、警告モードであることを表示し、機能制限モードであるとき、何も点灯させないようにする等の表示の切替で、セキュリティモードを表示させる表示手段としても機能させる。このセキュリティモードを表示させる表示手段は、液晶ディスプレイなどを使用して、文字や図形などでモードが直接判る表示を行うようにしてもよい。また、振動で警告する警告手段としてもよい。【００２７】  制御部５３と各部との間は制御ライン５８で接続してあり、制御部５３の制御で、通信回路５２での無線通信や、警告音生成部５４や発光部５５での動作などが実行される。【００２８】  また、本例の無線キー装置５０は、端子部５６を備え、この端子５６を使用して携帯電話端末装置１０が直接接続できる構成としてある。この接続時には、無線キー装置５０内の制御部５３が、携帯電話端末装置１０内の制御部１９とデータ転送を直接行って、近距離無線通信をしないで直接接続時のセキュリティ処理を行うようにしてある。また、無線キー装置５０内の電源回路５７に内蔵された二次電池の充電残量が少ない場合には、携帯電話端末装置１０側から供給される充電電流で、電源回路５７内の二次電池を充電させることができるようにしてある。【００２９】  このように構成される携帯電話端末装置１０と無線キー装置５０とを使用する際には、例えば図４に示すように、利用者は無線キー装置５０を常時身に付けておくことで、その利用者が携帯電話端末装置１０を使用する際には、機能が制限されないようにしてある（後述する通常モード）。そして、利用者は無線キー装置５０を常時身に付けた状態のままで、携帯電話端末装置１０をどこかに置いて、携帯電話端末装置１０からある程度の距離離れた場合に、無線キー装置５０から警告動作が行われ（後述する警告モード）、その警告動作が行われた状態で、携帯電話端末装置１０に近づかないでいると、携帯電話端末装置１０の機能が制限される状態となる（後述する機能制限モード）。なお、警告モードでの警告動作については、携帯電話端末装置１０側でだけ行うようにしてもよい。或いは、無線キー装置５０と携帯電話端末装置１０の双方で警告モードでの警告動作を行うようにしてもよい。【００３０】  機能制限モードで携帯電話端末装置１０の機能が制限される状態としては、例えば、携帯電話端末装���１０の全ての機能を停止させても良いが（但しセキュリティ機能に関係した通信は制限させない）、端末装置１０が備える機能の内の一部だけの機能を停止させてもよい。具体的には、例えば非接触ＩＣカード機能部４０を使用した処理だけを制限させるようにしてもよい。また、携帯電話端末装置１０のアドレス帳閲覧やメール閲覧などの個人情報の表示などを制限させてもよい。また、無線電話としての発信を制限させて、着信だけができるようにしてもよい。この発信制限時には、警察などの緊急通報用の電話番号だけは発信規制しないようにしてもよい。また、無線電話装置としての機能だけを制限させて、非接触ＩＣカード機能部４０を使用した処理については制限させないようにしてもよい。【００３１】  次に、このような構成の携帯電話端末装置１０と無線キー装置５０を用意して、セキュリティ処理を行う場合の処理例について説明する。【００３２】  まず、図５を参照して、セキュリティ処理のモードについて説明すると、本例の場合には、携帯電話端末装置１０の機能を制限しない通常モードＭ１と、携帯電話端末装置１０と無線キー装置５０との距離が離れるなどで、その通常モードから外れることを警告する警告モードＭ２と、警告モードから通常モードに戻らない場合に（即ち携帯電話端末装置１０と無線キー装置５０との距離が離れたままである場合に）、携帯電話端末装置１０の機能を制限する機能制限モードＭ３とが用意してある。【００３３】  これらのモードの遷移としては、図５に矢印で示すように、通常モードＭ１から警告モードＭ２への変化、警告モードＭ２から機能制限モードＭ３への変化があり、また機能制限モードＭ３となった状態で、無線キー装置５０が携帯電話端末装置１０に近づくと、通常モードＭ１に戻る。さらに、警告モードＭ２となって警告動作が行われている状態で、無線キー装置５０が携帯電話端末装置１０に近づくと、通常モードＭ１に戻る。【００３４】  本例の場合、これらのセキュリティモードは、携帯電話端末装置１０と無線キー装置５０との間での無線通信方式であるＢｌｕｅｔｏｏｔｈ方式で用意された通信モードと関連を持たせてある。即ち、図６に本例の無線通信方式（Ｂｌｕｅｔｏｏｔｈ方式）での通信モードを示すと、携帯電話端末装置１０と無線キー装置５０の両者で、相手の機器を認証させて無線接続させる接続モードＭ１１があり、その接続モードＭ１１で相互に認証が完了して接続が行われると、実際にペイロードデータの転送が行われるデータ転送モードＭ１２となる。データ転送モードＭ１２でのデータ転送が完了すると、低消費電力通信モードＭ１３に移行する。この低消費電力通信モードＭ１３では、両者の無線通信が、データ転送モードＭ１２での通信周期よりも長い周期で間欠的に行われ、両者の無線接続を維持する状態となる。このように間欠通信を行う周期が長いことで、データ転送モードＭ１２で作動している場合よりも、通信に要する消費電力を小さくすることができ、低消費電力となる。なお、ここでの低消費電力とは、通信周期の間引きから低消費電力になることを示しており、後述する送信電力を下げる処理とは直接関係がない（但し後述するように低消費電力モード中には送信電力を下げる処理��行うようにしてある）。【００３５】  この低消費電力通信モードＭ１３の状態で、両者間でのデータ転送を再開させる場合には接続モードＭ１１に戻り、接続モードＭ１１で通信を再開させる処理が行われて、実際にデータ転送が行われるデータ転送モードＭ１２となる。低消費電力通信モードＭ１３で無線接続が維持された状態では、接続モードＭ１１での接続処理が比較的簡単に行われ、無線接続をやり直す場合に比べて、データ転送モードＭ１２でのデータ転送の再開が迅速に行える。【００３６】  また、接続モードＭ１１でいずれかの通信相手と接続処理が行われない場合（或いは接続できない場合）には、それぞれの機器は、スタンバイモードＭ１４に移行する。このスタンバイモードＭ１４となった機器は、非常に長い周期での間欠受信又は送信を行って、相手となる通信機器が存在するかをサーチする処理を行う。なお、スタンバイモードＭ１４となった機器は、ユーザ操作などの何らかの契機となる処理がないと、接続モードＭ１１に戻らないようにしてもよい。また、２台の機器間で通信を行っている間は、２台の機器は、基本的に同じモードが設定されるようにしてある。即ち、少なくとも接続モードＭ１１とデータ転送モードＭ１２と低消費電力モードＭ１３は、２台の機器間で同期して移行するモードである。【００３７】  ここで、本例の場合には、図６に示すように、携帯電話端末装置１０と無線キー装置５０との間で、低消費電力通信モードＭ１３で通信している状態のとき、セキュリティモードとして通常モードＭ１を設定し、低消費電力通信モードＭ１３から接続モードＭ１１に通信モードが移行したことを契機として、警告モードが開始される。警告モードから機能制限モードに移行する処理の詳細については後述するが、セキュリティモードが機能制限モードＭ３となると、接続モードＭ１１，データ転送モードＭ１２，スタンバイモードＭ１４である間は、機能制限モードＭ３のままとする。データ転送モードＭ１２から低消費電力通信モードＭ１３に移行した場合にだけ、セキュリティモードが機能制限モードＭ３から通常モードＭ１に戻るようにしてある。【００３８】  次に、携帯電話端末装置１０と無線キー装置５０のそれぞれで、セキュリティモードが選定される処理を、図７を参照して説明する。このセキュリティモード選定処理は、例えばそれぞれの機器の制御部１９，５３の制御で実行される。まず、現在の通信モードが、低消費電力通信モードであるか否か判断される（ステップＳ１）。ここで、低消費電力通信モードである場合には、制御部内に用意されるステートタイマをリセットし（ステップＳ２）、セキュリティモードを通常モードに設定し（ステップＳ３）、通常モードとしての処理（即ち機能を制限しないモード）として作動させる（ステップＳ４）。なお、ステートタイマは時間の経過でカウントアップするタイマである。【００３９】  また、ステップＳ１で低消費電力通信モードでないと判断した場合には、直前（現在）のセキュリティモードが通常モードであるか否か判断し（ステップＳ５）、通常モードである場合には、制御部内に用意されるステートタイマをスタートさせ（ステップＳ６）、警告モードの開始を設定させ（ステップＳ７）、���告モードとしての警告動作を実行させる（ステップＳ８）。なお、携帯電話端末装置１０と無線キー装置５０のいずれか一方だけで警告動作を行う構成となっている場合には、他方の装置では、この警告モード中には特に処理を行わない。【００４０】  そして、ステップＳ５で直前（現在）のセキュリティモードが通常モードでないと判断した場合には、ステップＳ６で起動させたステートタイマのカウント値が、予め決められた値ＴＨを超えたか否か判断する（ステップＳ９）。カウント値が所定値ＴＨ１を超えるまでは、ステップＳ８の警告モードのままとし、カウント値が所定値ＴＨ１を超えた場合には、セキュリティモードを警告モードに変化させる（ステップＳ１０）。ステートタイマのカウント値が、カウント開始から所定値ＴＨ１を越えるまでの時間は、例えば、数秒から数十秒程度の時間とする。【００４１】  次に、携帯電話端末装置１０と無線キー装置５０のそれぞれで、各通信モードでの通信状態の具体的な例を、図８以降を参照して説明する。まず、接続モードで携帯電話端末装置１０と無線キー装置５０とが相手の認証処理を行う例を説明する。Ｂｌｕｅｔｏｏｔｈ方式で無線通信を行う場合には、通信を行う２台の機器の内の一方の通信装置がマスタ機器となり、他方の通信装置がスレーブ機器となる。Ｂｌｕｅｔｏｏｔｈ方式のシステム上は、いずれの機器がマスタ、スレーブになっても良いが、本例の場合、携帯電話端末装置１０と無線キー装置５０との間で無線通信を行う場合には、無線キー装置５０がマスタとなり、携帯電話端末装置１０がスレーブとなるようにしてある。【００４２】  スレーブとなった機器（ここでは携帯電話端末装置１０）は、接続モードのとき、マスタを探すスキャン処理を行う。図８は、このスキャン処理時の動作例を示したフローチャートである。スキャン処理時には、一定期間連続受信して、マスタからの信号を探す処理を行う（ステップＳ１１）。そのスキャン処理で、セキュリティ処理を行う相手である無線キー装置５０のＩＤ番号が付与された信号（ページ信号）を受信したか否か判断する（ステップＳ１２）。ここで、無線キー装置５０のＩＤ番号が付与された信号を受信できない場合には、アイドル処理に移って一定期間待機した後に（ステップＳ１３）、ステップＳ１１に戻って、スキャン処理を繰り返し行う。【００４３】  そして、ステップＳ１２で無線キー装置５０のＩＤ番号が付与されたページ信号を受信できたと判断した場合には、そのページ信号に対する応答信号を送信し（ステップＳ１４）、マスタと接続処理を行って、通信状態に移行（即ちデータ転送モードに移行）する（ステップＳ１６）。【００４４】  また、マスタとなった機器（ここでは無線キー装置５０）は、接続モードが開始したとき、スタンバイタイマをスタートさせ（ステップＳ２１）、所定期間、決められたチャンネルでページ信号を送信する（ステップＳ２２）。このときのページ信号には、例えば自機に設定されたＩＤ番号を付与するとともに、通信相手のＩＤ番号を付与する。そして、そのページ信号の送信後にスレーブからの応答があるか否か判断し（ステップＳ２３）、応答がない場合には、スタンバイタイマのカウント値が決められた時間ＴＨ２を越えたか否か判断する（ステップＳ２４）。スタンバイタイマのカウント値が決められた時間ＴＨ２を越えていない場合には、アイドル処理に移って一定期間待機した後に（ステップＳ２５）、ステップＳ２２に戻って、ページ信号の送信処理を繰り返し行う。【００４５】  そして、ステップＳ２３でスレーブからの応答があると判断した場合には、スレーブとの接続処理を行って、通信状態に移行（即ちデータ転送モードに移行）する（ステップＳ２７）。また、ステップＳ２４で、スタンバイタイマのカウント値が決められた時間ＴＨ２を越えた場合には、スタンバイ状態となり（ステップＳ２８）、ここでのスレーブとの接続を試みる処理を中止する。【００４６】  図１０は、図８のフローチャートの処理が行われているマスタとなった機器（無線キー装置５０）と、図９のフローチャートの処理が行われているスレーブとなった機器（携帯電話端末装置１０）との通信状態の例を示した図である。図１０（ａ）は、マスタ（無線キー装置５０）のページ信号の送信タイミングとアイドル期間を示し、図１０（ｂ）は、スレーブ（携帯電話端末装置１０）の受信（スキャン）タイミングとアイドル期間を示したものである。図１０に示すように、送信側のアイドル期間と受信側のアイドル期間は異なり、受信側でいずれかのタイミングで送信されるページ信号を受信できるようにしてある。【００４７】  図１１は、この図１０の処理をシーケンス図で示したものである。図１１に示すように、無線キー装置５０からは間欠的にページ信号の送信（タイミングＴ１１，Ｔ１２，Ｔ１３）が行われる。ここで、ページ信号に対するレスポンスがあると（タイミングＴ１４）、さらに２台の機器間でレスポンスの相互のやり取りがあり（タイミングＴ１５，Ｔ１６）、その後、無線接続を行うコネクション信号の相互のやり取りが行われて（タイミングＴ１７，Ｔ１８）、データ転送モードに移行する。【００４８】  次に、本例の各機器がデータ転送モードに移行した場合の処理例を、図１２のフローチャートを参照して説明する。データ転送モードに移行すると、そのデータ転送が行われるチャンネルでの認証処理が行われ（ステップＳ３１）、その認証が正しく完了したか否か判断される（ステップＳ３２）。ここで認証処理が完了しない場合には、接続処理に戻る。【００４９】  そして、ステップＳ３２での接続処理が完了した場合には、通常はデータ転送が行われるが、本例のセキュリティ処理のための通信時には、データ転送を行わず、直接、低消費電力モードに移行する処理が行われる（ステップＳ３３）。そして、低消費電力モードに移行できるか否か判断し（ステップＳ３４）、低消費電力モードに移行できる状態である場合には、低消費電力モードのスニフ状態に設定する。低消費電力モードに移行できない場合には、接続処理に戻る。なお、ステップＳ３３での低消費電力モードに移行する処理を行う際には、例えば、双方の通信回路３２，５２内の送信アンプを、【００５０】  図１３は、図１２のフローチャートで示した通信状態の例を示したシーケンス図である。即ち、データ転送モードで、認証などを行うために相互にパケットの伝送を行い（タイミングＴ２１，Ｔ２２，Ｔ２３，Ｔ２４）、その認証が完了してから、低消費電力モードに移行するためのデータ（スニフモードリクエスト）をマスタ（無線キー装置５０）から送り（タイミングＴ２５）、その了解を受信することで（タイミングＴ２６）、双方の機器が低消費電力モード（スニフモード）に移行する。【００５１】  図１４は、低消費電力モード（スニフモード）での、スレーブ（携帯電話端末装置１０）での処理例を示したフローチャートである。その処理を説明すると、スニフモードとなると、まずタイマをスタートさせ（ステップＳ４１）、マスタからの信号を受信するスキャン処理を行う（ステップＳ４２）。そのスキャン処理で、セキュリティ処理を行う相手である無線キー装置５０のＩＤ番号が付与された信号（ページ信号）を受信したか否か判断する（ステップＳ４３）。ここで、無線キー装置５０のＩＤ番号が付与された信号を受信した場合には、そのページ信号に対する応答信号を送信し（ステップＳ４４）、ステップＳ４１でスタートさせたタイマをリセットさせ（ステップＳ４５）、アイドル期間に移る（ステップＳ４６）。一定期間のアイドル期間が経過すると、ステップＳ４２のスキャン処理に戻る。ここで、本例の場合には、ステップＳ４６でのアイドル期間（通信が行われない期間）を、比較的長い期間に設定してあるとともに、マスタ側でのアイドル期間と同期させるようにしてある。【００５２】  そして、ステップＳ４３で無線キー装置５０のＩＤ番号が付与された信号を受信できないと判断した場合には、ステップＳ４１でスタートさせたタイマが、所定値Ｔ＿ＳＶを越えたか否か判断し（ステップＳ４７）、所定値Ｔ＿ＳＶを越えていない場合には、ステップＳ４６のアイドル処理に移る。そして、ステップＳ４７で所定値Ｔ＿ＳＶを越えたと判断された場合、通信モードを接続モードに変化させる（ステップＳ４８）。通信モードを接続モードに変化させる際には、送信アンプの送信電力を高く変化させてもよい。【００５３】  図１５は、低消費電力モード（スニフモード）での、マスタ（無線キー装置５０）での処理例を示したフローチャートである。その処理を説明すると、スニフモードとなると、まずタイマをスタートさせ（ステップＳ５１）、ページ信号を所定期間送信する処理を行う（ステップＳ５２）。このページ信号の送信後に、セキュリティ処理を行う相手（携帯電話端末装置１０）からの応答を受信したか否か判断する（ステップＳ５３）。ここで、応答信号を受信した場合には、ステップＳ５１でスタートさせたタイマをリセットさせ（ステップＳ５４）、アイドル期間に移る（ステップＳ５５）。一定期間のアイドル期間が経過すると、ステップＳ５２のスキャン処理に戻る。ここで、本例の場合には、ステップＳ５５でのアイドル期間（通信が行われない期間）を、比較的長い期間に設定するとともに、スレーブ側でのアイドル期間と同期させるようにしてある。【００５４】  そして、ステップＳ５３で携帯電話端末装置１０からの応答を受信できないと判断した場合には、ステップＳ５１でスタートさせたタイマが、所定値Ｔ＿ＳＶを越えたか否か判断し（ステップＳ５６）、所定値Ｔ＿ＳＶを越えていない場合には、ステップＳ５５のアイドル処理に移る。そして、ステップＳ５６���所定値Ｔ＿ＳＶを越えたと判断された場合、通信モードを接続モードに変化させる（ステップＳ５７）。通信モードを接続モードに変化させる際には、送信アンプの送信電力を高く変化させてもよい。【００５５】  図１６は、低消費電力モード（スニフモード）での、両機器での通信タイミングを示したシーケンス図である。この図１６に示すように、マスタでのスニフ処理が行われるタイミング（オンと記載された部分）と、スレーブでのスニフ処理が行われるタイミングとはほぼ一致する。即ち、マスタからポーリングパケットが送信されるタイミング（Ｔ３１，Ｔ３３，Ｔ３５，Ｔ３７）と、スレーブでその受信が行われる期間とが一致し、各ポーリングパケットがスレーブで受信されて、その応答（タイミングＴ３２，Ｔ３４，Ｔ３６，Ｔ３８）についても、マスタ側で受信される。このように間欠的な双方向の通信が行われていることで、低消費電力モードが維持され、マスタとスレーブ間の無線接続状態が維持される。【００５６】  なお、通信モードがスタンバイ状態になった場合には、例えば図１７のフローチャートに示した処理が行われる。即ち、スタンバイ状態になると、起動タイマに起動させる期間を設定させ（ステップＳ６１）、その起動タイマをスタートさせ（ステップＳ６２）、通信回路をスリープ状態とする（ステップＳ６３）。その後、起動タイマが設定した期間が経過すると、通信回路を起動させて（ステップＳ６４）、接続処理を実行して、接続できる機器があるかの処理に移る。【００５７】  ここまで説明した処理が実行されることで、携帯電話端末装置１０と無線キー装置５０との間での、近距離無線通信が行われ、携帯電話端末装置１０と無線キー装置５０とが近接した状態で良好に無線通信できる場合には、携帯電話端末装置１０と無線キー装置５０とが低消費電力モードで無線接続された状態に維持される。この低消費電力モードで無線接続された状態では、いわゆるペイロードとなるデータの転送は行われず、無線接続を維持させるための信号が間欠的に送受信されるだけであり、アイドル期間を適切に選定することで、非常に少ない消費電力で、通信が行える。従って、本例のセキュリティ処理を行うことによる消費電力を、少なくすることができ、携帯電話端末装置１０と無線キー装置５０の双方の電池持続時間を長時間化することができる。特に、出来るだけ小型に構成させたい無線キー装置に、大きな効果がある。【００５８】  そして、携帯電話端末装置１０については、既に携帯電話端末に組み込まれた例が多数あるＢｌｕｅｔｏｏｔｈ方式の近距離無線通信方式を適用して、セキュリティ処理を行うようにしたので、既存のＢｌｕｅｔｏｏｔｈ方式の近距離無線通信回路を備えた携帯電話端末の制御構成などを若干変更するだけで、本例のセキュリティ処理が実現可能であり、簡単に良好なセキュリティ機能が実現できる。【００５９】  なお、上述した実施の形態では、低消費電力モードから接続モードへの移行を、単純に２台の間で無線通信ができる状態か否かで処理（即ち通信の接続・切断や信号強度に基づいた処理）するようにしたが、相手からのパケットの検出状況で判断するようにしてもよい。図１８〜図２０は、その場合の処理例を示した図である。【００６０】  まず、スレーブ（携帯電話端末装置１０）での処理例を図１８のフローチャートに示すと、携帯電話端末装置１０が低消費電力モード（スニフモード）になると、タイマをスタートさせ（ステップＳ７１）、通信ステートとして良を設定し（ステップＳ７２）、マスタからの信号を受信するスキャン処理を行う（ステップＳ７３）。そのスキャン処理で、セキュリティ処理を行う相手である無線キー装置５０のＩＤ番号が付与された信号（ページ信号）を受信したか否か判断する（ステップＳ７４）。ここで、無線キー装置５０のＩＤ番号が付与された信号を受信した場合には、そのページ信号に対する応答信号を送信し（ステップＳ７５）、ステップＳ７１でスタートさせたタイマをリセットさせ（ステップＳ７６）、アイドル期間に移る（ステップＳ７７）。一定期間のアイドル期間が経過すると、ステップＳ７３のスキャン処理に戻る。このアイドル期間は、マスタ側でのアイドル期間と同期させるようにしてある。【００６１】  ステップＳ７４で無線キー装置５０のＩＤ番号が付与された信号を受信できないと判断した場合には、ステップＳ７１でスタートさせたタイマが、第１の所定値Ｔ＿ＳＶ１を越えたか否か判断し（ステップＳ７８）、所定値Ｔ＿ＳＶ１を越えていない場合には、ステップＳ７７のアイドル処理に移る。そして、ステップＳ７８で所定値Ｔ＿ＳＶ１を越えたと判断された場合、さらに第２の所定値Ｔ＿ＳＶ２を越えたか否か判断する（ステップＳ７９）。なお、第２の所定値Ｔ＿ＳＶ２は、第１の所定値Ｔ＿ＳＶ１よりも長い期間である。ここで、第２の所定値Ｔ＿ＳＶ２を越えていないと判断した場合には、通信ステートとして不良を設定し（ステップＳ８０）、ステップＳ７７のアイドル処理に移る。ステップＳ７９で第２の所定値Ｔ＿ＳＶ２を越えたと判断した場合には、通信モードを接続モードに変化させる（ステップＳ８１）。【００６２】  次に、ここでのマスタ（無線キー装置５０）での処理例を、図１９のフローチャートを参照して説明すると、スニフモードとなると、まずタイマをスタートさせ（ステップＳ９１）、通信ステートとして良を設定し（ステップＳ９２）、ページ信号を所定期間送信する処理を行う（ステップＳ９３）。このページ信号の送信後に、セキュリティ処理を行う相手（携帯電話端末装置１０）からの応答を受信したか否か判断する（ステップＳ９４）。ここで、応答信号を受信した場合には、ステップＳ９１でスタートさせたタイマをリセットさせ（ステップＳ９５）、アイドル期間に移る（ステップＳ９６）。一定期間のアイドル期間が経過すると、ステップＳ９３のスキャン処理に戻る。このアイドル期間は、スレーブ側でのアイドル期間と同期させるようにしてある。【００６３】  そして、ステップＳ９４で携帯電話端末装置１０からの応答を受信できないと判断した場合には、ステップＳ９１でスタートさせたタイマが、第１の所定値Ｔ＿ＳＶ１を越えたか否か判断し（ステップＳ９７）、所定値Ｔ＿ＳＶ１を越えていない場合には、ステップＳ９６のアイドル処理に移る。そして、ステップＳ９７で所定値Ｔ＿ＳＶ１を越えたと判断された場合、さらに第２の所定値Ｔ＿ＳＶ２を越えたか否か判断する（ステップＳ９８）。���お、第２の所定値Ｔ＿ＳＶ２は、第１の所定値Ｔ＿ＳＶ１よりも長い期間である。ここで、第２の所定値Ｔ＿ＳＶ２を越えていないと判断した場合には、通信ステートとして不良を設定し（ステップＳ９９）、ステップＳ９６のアイドル処理に移る。ステップＳ９８で第２の所定値Ｔ＿ＳＶ２を越えたと判断した場合には、通信モードを接続モードに変化させる（ステップＳ１００）。【００６４】  そして、この図１８、図１９に示すように処理された場合に、セキュリティモード選択が、図２０に示すような判断で設定されるようにする。即ち、まず通信モードが低消費電力モードであるか否か判断され（ステップＳ１０１）、低消費電力モードである場合には、図１８、図１９のフローチャートで設定した通信ステートが良であるか否か判断される（ステップＳ１０２）。ここで、通信ステートが良である場合には、セキュリティモードを通常モードとする（ステップＳ１０３）。そして、ステップＳ１０２で、通信ステートが不良である場合には、セキュリティモードを警告モードとする（ステップＳ１０４）。さらに、ステップＳ１０１で、低消費電力モードでないと判断された場合には、セキュリティモードを機能制限モードとする（ステップＳ１０５）。【００６５】  この図２０のフローチャートに示すように処理されることで、低消費電力モードからつ接続モードに移行する可能性が高くなった状態で警告モードとなり、無線通信状態の悪化で良好に警告を行うことができる。【００６６】  ここまで説明した無線キー装置５０は、セキュリティ機能だけを行う専用の装置として構成させたが、他の機能を有する装置に、無線キー装置としての機能を組み込むようにしてもよい。例えば携帯電話端末装置１０とＢｌｕｅｔｏｏｔｈ方式の無線通信を行って、いわゆるハンズフリー通話を行うためのヘッドセットに、無線キー装置を組み込むようにしてもよい。以下、このような無線キー機能とヘッドセット機能を一体化した無線キー付きヘッドセットについて説明する。【００６７】  図２１は、この無線キー付ヘッドセットの構成例を示した図である。本例の無線キー付ヘッドセット６０は、近距離無線通信用の通信回路６２を備え、接続されたアンテナ６１を介して、例えば数ｍから最大でも百ｍ程度の比較的狭い範囲内の相手と無線通信を行う。ここでは、携帯電話端末装置１０側が備えている近距離無線通信方式と同じ方式であるＢｌｕｅｔｏｏｔｈ方式を、無線キー付ヘッドセットの通信回路６２も適用してある。通信回路６２で無線通信を行う相手は、登録された特定の１台の携帯電話端末装置１０に限定され、その装置の識別ＩＤなどが予め登録されている。但し、ヘッドセットだけを使用する際には、通信回路６２で無線通信を行う相手を制限しないようにしてもよい。【００６８】  通信回路６２での無線通信については、制御部６３の制御で実行される。アンテナ６１と接続された近距離無線通信用の通信回路６２が、制御部１９の制御で、携帯電話端末装置１０との間で無線通信を行うようにしてある。通信回路６２で通話用の通信を行う際には、制御部６３にて携帯電話端末装置１０からの着呼又はユーザの発呼操作を検出し、携帯電話端末装置１０から受信した音声データを音声データ処理部６６に供給して音声データの受信処理を行ってからスピーカ６７に供給して出力させ、また、マイクロフォン６８が拾って音声データ処理部６６で処理された送信用の音声データを通信回路６２に供給して送信させる。この場合、通信回路６２内で送信信号を増幅する送信アンプ６２ａは、制御部６３などの制御で送信電力が設定されるようにしてある。【００６９】  通信回路６２でヘッドセット用の通信（即ち通話用音声データの通信）を行う際には、受信した音声データを音声データ処理部６６に供給して音声データの受信処理を行ってからスピーカ６７に供給して出力させ、また、マイクロフォン６８が拾って音声データ処理部６６で処理された送信用の音声データを通信回路６２に供給して送信させる。また、スピーカ６７は、セキュリティ機能で必要となる警告手段や携帯電話端末装置１０の着信などを知らせる告知手段としても使用される。あるいは、警告音発生のための専用スピーカを別に追加してもよい。【００７０】  また本例の無線キー付ヘッドセット６０は、操作キーなどで構成された操作部６４と、メモリ６５と、発光部７０を備える。発光部７０はセキュリティ機能に関する警告手段として使用されるとともに、ヘッドセットとして機能させる際の動作状態の表示手段あるいは電話の着信などを知らせる告知手段としても使用される。これらのヘッドセット６０内の各部は、制御ライン７３を介して制御データのやり取りが行えるとともに、データライン７４を介して音声データなどのやり取りが行える。【００７１】  また、本例の無線キー付ヘッドセット６０は、端子部７１を備え、この端子７１を使用して携帯電話端末装置１０が直接接続できる構成としてある。この接続時には、無線キー付ヘッドセット６０内の制御部６３が、携帯電話端末装置１０内の制御部１９とデータ転送を直接行って、近距離無線通信をしないで直接音声データの転送やセキュリティ処理を行うようにしてある。また、無線キー付ヘッドセット６０内の電源回路７２に内蔵された二次電池の充電残量が少ない場合には、携帯電話端末装置１０側から供給される充電電流で、電源回路７２内の二次電池を充電させることができるようにしてある。【００７２】  このような無線キー付ヘッドセット６０を用意した場合には、例えば図２２に示すように、無線キー付ヘッドセット６０を装着した利用者が、カバンの中などに入ったままの携帯電話端末装置１０と無線通信を行って、いわゆるハンズフリー通話ができるとともに、無線キー装置としての機能を利用することで、無線キー付ヘッドセット６０と携帯電話端末装置１０との位置関係（距離）により、警告動作や機能制限動作を行う。即ち、無線キー付ヘッドセット６０から携帯電話端末装置１０がある程度の距離離れた場合に、無線キー付ヘッドセット６０又は携帯電話端末装置１０（或いは双方）から警告動作が行われ（後述する警告モード）、その警告動作が行われた状態で、携帯電話端末装置１０に近づかないでいると、携帯電話端末装置１０の機能が制限される状態となる（後述する機能制限モード）。【００７３】  次に、このような構成の携帯電話端末装置１０と無線キー装置５０を用意して、セキュリティ処理を行う場合の処理例について説明す��。無線キー付ヘッドセット６０を使った場合のモード遷移も、基本的には図６に示したものとほぼ同様であるが、新たに通信２のモードが存在する。接続モードＭ１１は相手デバイスへの間合せ又は信号検出を行う状態であり、通信１はデータ転送Ｍ１２に相当し、相互認証を行う状態、低消費電力通信モードＭ１３は、ヘッドセットとしての待ち受け処理を行う状態であって、無線キー付きヘッドセット６０からの電話発呼や携帯電話端末装置１０からの呼び出しが可能である。また、通信２は、本例で新たに設けられたモードであり、ヘッドセットとして通話中の状態である。そして、低消費電力通信モードＭ１３と通信２（Ｍ１５）により新たな通常モードＭ１を形成する。【００７４】  図２４は、低消費電力モード（スニフモード）での、スレーブ（携帯電話端末装置１０）での処理例を示したフローチャートである。その処理を説明すると、スニフモードとなると、まずタイマをスタートさせ（ステップＳ２０１）、マスタからの信号を受信するスキャン処理を行う（ステップＳ２０２）。そのスキャン処理で、セキュリティ処理を行う相手である無線キー付きヘッドセット６０のＩＤ番号が付与された信号（ページ信号）を受信したか否か判断する（ステップＳ２０３）。ここで、無線キー付きヘッドセット６０のＩＤ番号が付与された信号を受信した場合には、周期的に送信されるパケットを解析し（ステップＳ２０４）、その内容に応じて以降の処理を行う。【００７５】  まずパケットの内容が、無線キー付きヘッドセット６０からの発呼要求か否か判断する（ステップＳ２０５）。発呼要求でない場合、次に、携帯電話端末の着信かどうか判断する（ステップＳ２０６）。ここで、着信でない場合、そのページ信号に対するリンク確認のための応答信号（Ｎｕｌｌパケット）を送信し（ステップＳ２０７）、ステップＳ２０１でスタートさせたタイマをリセットさせ（ステップＳ２０８）、アイドル期間に移る（ステップＳ２０９）。一定期間のアイドル期間が経過すると、ステップＳ２０２のスキャン処理に戻る。ここで、本例の場合には、ステップＳ２０９でのアイドル期間（通信が行われない期間）を、比較的長い期間に設定してあるとともに、マスタ側でのアイドル期間と同期させるようにしてある。【００７６】  そして、ステップＳ２０３で無線キー付きヘッドセット６０のＩＤ番号が付与された信号を受信できないと判断した場合には、ステップＳ２０１でスタートさせたタイマが、所定値Ｔ＿ＳＶを越えたか否か判断し（ステップＳ２１０）、所定値Ｔ＿ＳＶを越えていない場合には、ステップＳ２０９のアイドル処理に移る。そして、ステップＳ２１０で所定値Ｔ＿ＳＶを越えたと判断された場合、通信モードを接続モードに変化させる（ステップＳ２１１）。【００７７】  また、ステップＳ２０５において、無線キー付きヘッドセット６０からの発呼要求であると判断された場合、送信電力をヘッドセットモードに切り替えて（送信電力増加、又は電力制御モード）、通信が確実に維持できるようにする（ステップＳ２１２）。ヘッドセットモードとはヘッドセット機能が使える状態とすることである。そして、無線キー付きヘッドセット６０から指定された内容に応じて発呼処理を行い（ステップＳ２１３）、通話２の状態に移行する（ステップＳ２１７）。【００７８】  また、ステップＳ２０６において、端末に着信がある場合、送信電力をヘッドセットモードに切り替えて（送信電力増加、又は電力制御モード）、通信が確実に維持できるようにし（ステップＳ２１４）、無線キー付きヘッドセット６０対する呼び出し音発生要求等の情報を含むパケット生成し、そのパケットを送信する（ステップＳ２１５）。そして、無線キー付きヘッドセット６０からの応答を待ち、ユーザによる着信処理が行われる（ステップＳ２１６）と、その旨を携帯電話端末装置１０に通達し、通信２の状態へ移行する（ステップＳ２１７）。【００７９】  図２５は、低消費電力モード（スニフモード）での、マスタ（無線キー付きヘッドセット６０）での処理例を示したフローチャートである。その処理を説明すると、スニフモードとなると、まずタイマをスタートさせ（ステップＳ２２１）、ページ信号を所定期間送信する処理を行う（ステップＳ２２２）。一方、ユーザによる操作部６４等ＵＩからの発呼要求を検出すると（ステップＳ２２３）、接続が維持されるよう送信電力調整を行って（ステップＳ２２４）、パケットを生成し（ステップＳ２２５）、ステップＳ２２２のページ送信処理を行う。このページ信号の送信後に、セキュリティ処理を行う相手（携帯電話端末装置１０）からの応答を受信したか否か判断する（ステップＳ２２６）。ここで、応答信号を受信した場合には、送信パケットに対する応答結果を解析し（ステップＳ２２７）、その内容に応じて以降の処理を行う。【００８０】  まずパケットの内容が、携帯電話端末装置１０からの着信かどうか判断する（ステップＳ２２８）。着信でない場合、次に、発呼要求かどうか判断する（ステップＳ２２９）。ここで、発呼要求でない場合、ステップＳ２２１でスタートさせたタイマをリセットさせ（ステップＳ２３０）、アイドル期間に移る（ステップＳ２３１）。一定期間のアイドル期間が経過すると、ステップＳ２２５に移行し、周期的にパケット送信を行う。ここで、本例の場合には、ステップＳ２３１でのアイドル期間（通信が行われない期間）を、比較的長い期間に設定するとともに、スレーブ側でのアイドル期間と同期させるようにしてある。【００８１】  そして、ステップＳ２２６で携帯電話端末装置１０からの応答を受信できないと判断した場合には、ステップＳ２２１でスタートさせたタイマが、所定値Ｔ＿ＳＶを越えたか否か判断し（ステップＳ２３２）、所定値Ｔ＿ＳＶを越えていない場合には、ステップＳ２３１のアイドル処理に移る。そして、ステップＳ２３２で所定値Ｔ＿ＳＶを越えたと判断された場合、通信モードを接続モードに変化させる（ステップＳ２３３）。【００８２】  また、ステップＳ２２８において、携帯電話端末装置１０からの着信であると判断された場合、送信電力をヘッドセットモードに切り替えて送信電力調整を行い（送信電力増加、又は電力制御モード）、通信が確実に維持できるようにする（ステップＳ２３４）。そして、スピーカからアラート音を発生するとともに、携帯電話端末装置１０へ応答を返信し、ユーザからの着信処理（操作部６４へのキー操作）を検知して、携帯電話端��装置１０へ通知し（ステップＳ２３５）、通信２の状態へ移行する（ステップＳ２３８）。【００８３】  また、ステップＳ２２９において、ユーザからのＵＩによる発呼要求であると判断された場合、送信電力をヘッドセットモードに切り替えて送信電力調整を行い（送信電力増加、又は電力制御モード）、通信が確実に維持できるようにする（ステップＳ２３６）。そして、ヘッドセットモードとはヘッドセット機能が使える状態とすることである。そして、ユーザ（ＵＩ）から指定された内容に応じて発呼処理を行い（ステップＳ２３７）、通話２の状態に移行する（ステップＳ２１７）。【００８４】  図２６は、ヘッドセット動作中の携帯電話端末装置１０での処理を示すフローチャートである。通信２の状態（ステップＳ２４１）において、音声（ＳＣＯ）通信を開始し（ステップＳ２４２）、受信したメッセージを解析して（ステップＳ２４３）、終呼要求があるか否かを判断し（ステップＳ２４５）、終呼要求がない場合、ステップＳ２４３に戻る。ここで、受信メッセージに終呼要求又は任意の通話相手先から呼断要求（ステップＳ２４４）がある場合、終呼処理（ステップＳ２４６）を行った後、送信電力調整を行い（ステップＳ２４７）、低消費電力通信に移行する（ステップＳ２４８）【００８５】  ステップＳ２４７の送信電力調整は、セキュリティとして動作するための制御（電力制御オフ、送信電力減少）を実施するものであり、すなわち、推定したい距離（機能制限を実行したい距離）に応じた電力設定値に固定する。【００８６】  図２７は、ヘッドセット動作中の無線キー付きヘッドセット６０での処理を示すフローチャートである。通信２の状態（ステップＳ２５１）において、音声（ＳＣＯ）通信を開始し（ステップＳ２５２）、ヘッドセットの音声バスをオンする（ステップＳ２５３）。そして、受信したメッセージを解析して（ステップＳ２５４）、終呼要求があるか否かを判断し（ステップＳ２５６）、終呼要求がない場合、ステップＳ２５４に戻る。ここで、受信メッセージに終呼要求又はＵＩよりユーザの終呼要求（ステップＳ２５５）がある場合、終呼処理（ステップＳ２５７）を行った後、送信電力調整を行い（ステップＳ２５８）、低消費電力通信に移行する（ステップＳ２５９）【００８７】  ステップＳ２５９の送信電力調整は、図２６のステップＳ２４７の処理と同様に、セキュリティとして動作するための制御（電力制御オフ、送信電力減少）を実施するものであり、すなわち、推定したい距離（機能制限を実行したい距離）に応じた電力設定値に固定する。【００８８】  このように、本実施の形態においては、例えばＢｌｕｅｔｏｏｔｈ方式の近距離無線通信を利用し、無線デバイス間の距離を推定する機能と、Ｂｌｕｅｔｏｏｔｈ方式が持つヘッドセット機能を一つのデバイスで同時に提供することができる。この無線キー機能とヘッドセット機能を一体化するにあたり、距離推定（セキュリティ）として動作中と、ヘッドセット機能動作中とで、無線通信の送信電力を変更する。例えば、電力制御は、ヘッドセット通話中は通信を維持するために高出力送信を行い、距離推定時には推定した距離に応じた電力設定とする。また、ヘッドセット通話中は、携帯��話端末装置１０と無線キー付きヘッドセット６０の互いの受信電力が一定となるような送信電力制御を行い、距離推定時には推定したい距離に応じた固定電力設定とする。【００８９】  このような構成とすることにより、セキュリティ用の無線デバイスと、無線ヘッドセット機能を一体化することができる。ユーザは、一つのデバイスを持ち歩くだけでよく、複数の機能を一つのＢｌｕｅｔｏｏｔｈデバイスに実装可能なため、安価にシステムを供給することができる。【００９０】上述した実施の形態では、携帯電話端末１０に、Ｂｌｕｅｔｏｏｔｈ方式などの近距離無線通信手段を内蔵させて、その近距離無線通信手段をセキュリティモード作動用に使用したが、例えば、携帯電話端末１０には、近距離無線通信手段を内蔵させず、外付けで携帯電話端末１０に近距離無線通信手段を接続させるようにしてもよい。即ち、例えば無線キー装置に相当する装置を２個用意して、その２個の無線キー装置の内の一方を、携帯電話端末１０に接続させて、その２個の無線キー装置での通信モードによって、セキュリティモードを設定させてもよい。【００９１】  また、ここまで説明した実施の形態では、携帯電話端末にＢｌｕｅｔｏｏｔｈ方式の通信回路を内蔵させて、その通信回路で無線キー装置と無線通信を行うようにしたが、その他の無線通信方式で、無線キー装置と無線通信を行うようにしてもよい。即ち、無線通信方式として、少なくとも、通信する双方の装置間でデータ転送可能とする第１の通信モードと、無線接続された状態のままで、第１の通信モードでの通信よりも少ない周期で双方の装置間で無線通信を行う第２の通信モードとを有した方式であれば、上述した実施の形態と同様の処理が可能であり、適用可能である。【００９２】  また、Ｂｌｕｅｔｏｏｔｈ方式の場合には、通信を行う一方がマスタとなり、他方がスレーブとなるが、上述した無線キー装置側をマスタとし携帯端末側をスレーブとするのは一例であり、逆でもよい。また、通信途中で、マスタとスレーブを入れ替えるようにしてもよい。【００９３】  また、上述した実施の形態では、携帯電話端末装置のセキュリティ確保処理に適用したが、その他の携帯型の端末装置のセキュリティ確保を、同様の処理で適用してもよい。【００９４】  また、無線キー装置についても、上述した実施の形態では専用のキー装置として構成した例としたが、Ｂｌｕｅｔｏｏｔｈ方式などで通信可能な端末装置（例えばＰＤＡ装置など）に、本発明のキー装置として機能させるプログラムをインストールして、キー装置として機能するようにしてもよい。
【図面の簡単な説明】
【００９５】
【図１】本発明の一実施の形態によるシステム構成例を示した斜視図である。
【図２】本発明の一実施の形態による通信端末装置の構成例を示したブロック図である。
【図３】本発明の一実施の形態による無線キー装置の構成例を示したブロック図である。
【図４】本発明の一実施の形態による使用例を示した説明図である。
【図５】本発明の一実施の形態によるセキュリティモードの設定例を示した説明図である。
【図６】本発明の一実施の形態による通信モードによるセキュリティモードの遷移例を示した説明図である。
【図７】本発明の一実施の形態によるモード選定処理例を示したフローチャートである。
【図８】本発明の一実施の形態によるスキャン処理例を示したフローチャートである。
【図９】本発明の一実施の形態によるページ送信処理例を示したフローチャートである。
【図１０】本発明の一実施の形態によるページ送信とスキャンの処理状態の例を示したタイミング図である。
【図１１】本発明の一実施の形態による接続状態の例を示したシーケンス図である。
【図１２】本発明の一実施の形態による低消費電力移行処理例を示したフローチャートである。
【図１３】本発明の一実施の形態による通信状態メッセージの伝送例を示したシーケンス図である。
【図１４】本発明の一実施の形態による携帯端末での通信処理例を示したフローチャートである。
【図１５】本発明の一実施の形態による無線キー装置での通信処理例を示したフローチャートである。
【図１６】本発明の一実施の形態によるスニフ状態での伝送例を示したシーケンス図である。
【図１７】本発明の一実施の形態によるスタンバイ状態での処理例を示したフローチャートである。
【図１８】本発明の他の実施の形態による端末側でのモード選定処理例を示したフローチャートである。
【図１９】本発明の他の実施の形態による無線キー装置側でのモード選定処理例を示したフローチャートである。
【図２０】図２１、図２２の場合のモード選定状態の例を示したフローチャートである。
【図２１】本発明のさらに他の実施の形態による無線キー装置の変形例（ヘッドセットと一体化させた例）を示したブロック図である。
【図２２】図２１の例の使用例を示した説明図である。
【図２３】本発明のさらに他の実施の形態の無線キー装置の変形例における通信モードによるセキュリティモードの遷移例を示した説明図である。
【図２４】本発明のさらに他の実施の形態による携帯端末側での通信処理例を示したフローチャートである。
【図２５】本発明のさらに他の実施の形態による無線キー装置（ヘッドセット一体化）での通信処理例を示したフローチャートである。
【図２６】本発明のさらに他の実施の形態によるヘッドセット動作中の携帯端末での処理例を示したフローチャートである。
【図２７】本発明のさらに他の実施の形態によるヘッドセット動作中の無線キー装置での処理例を示したフローチャートである。
【符号の説明】
【００９６】  １０…携帯電話端末装置、１１…アンテナ、１２…無線電話用通信回路、１３…音声処理部、１４…スピーカ、１５…マイクロフォン、１６…表示部、１７…操作部、１８…メモリ、１９…制御部、２１…振動部、２２…発光部、２３…端子部、２４…電源回路、２５…制御ライン、２６…データライン、３１…アンテナ、３２…近距離無線通信回路、３３…送信アンプ、４０…非接触ＩＣカード機能部、４１…課金データ制御部、４２…アンテナ、５０…無線キー装置、５１…アンテナ、５２…近距離無線通信回路、５２ａ…送信アンプ、５３…制御部、５４…振動部、５５…発光部、５６…端子部、５７…電源回路、５８…制御ライン、５９…操作部、６０…無線キー付ヘッドセット、６１…アンテナ、６２…近距離無線通信回路、６２ａ…送信アンプ、６３…制御部、６４…操作部、６５…メモリ、６６…音声処理部、６７…スピーカ、６８…マイクロフォン、６９…振動部、７０…発光部、７１…端子部、７２…電源回路、７３…制御ライン、７４…データライン
【図１】
2006020259.tif 000003
【図２】
2006020259.tif 000004
【図３】
2006020259.tif 000005
【図４】
2006020259.tif 000006
【図５】
2006020259.tif 000007
【図６】
2006020259.tif 000008
【図７】
2006020259.tif 000009
【図８】
2006020259.tif 000010
【図９】
2006020259.tif 000011
【図１０】
2006020259.tif 000012
【図１１】
2006020259.tif 000013
【図１２】
2006020259.tif 000014
【図１３】
2006020259.tif 000015
【図１４】
2006020259.tif 000016
【図１５】
2006020259.tif 000017
【図１６】
2006020259.tif 000018
【図１７】
2006020259.tif 000019
【図１８】
2006020259.tif 000020
【図１９】
2006020259.tif 000021
【図２０】
2006020259.tif 000022
【図２１】
2006020259.tif 000023
【図２２】
2006020259.tif 000024
【図２３】
2006020259.tif 000025
【図２４】
2006020259.tif 000026
【図２５】
2006020259.tif 000027
【図２６】
2006020259.tif 000028
【図２７】
2006020259.tif 000029